【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
ソーシャルネットワークのメンバーのプライバシー設定に基づいて、該メンバーに関連付けられたデータへのアクセスを規制する方法であって、
ソーシャルネットワークの複数のメンバーのためのプロフィールを保持するステップであって、各プロフィールが一人のメンバーに関連付けられた１つ以上の特性を識別するとともに、１つ以上のプライバシー設定が前記１つ以上の特性へのアクセスを許可もしくは拒否する、前記プロフィールを保持するステップと、
前記ソーシャルネットワークのメンバーによりとられる行動を監視するステップと、
特定のメンバーのためのプライバシー設定を変更する行動に応じて、該変更されたプライバシー設定により影響を受ける１つ以上の情報経路であって、各情報経路が前記特定のメンバーについてのデータを一人以上の他のメンバーに伝達する、前記１つ以上の情報経路を決定するステップと、
前記変更されたプライバシー設定に応じて、前記一人以上の他のメンバーに伝達された前記データを調整するために、該変更されたプライバシー設定により影響を受ける各情報経路を修正するステップと、
前記変更されたプライバシー設定により影響を受ける前記情報経路が修正された後に、その後のメンバー行動を受信するステップと、
前記変更されたプライバシー設定に基づく前記修正された情報経路を介して、前記ソーシャルネットワークの前記一人以上の他のメンバーに対して前記その後のメンバー行動を選択的に伝達するステップと
を備えることを特徴とする方法。
【請求項２】
前記ソーシャルネットワークはソーシャルネットワーキングウェブサイトを備えることを特徴とする請求項１に記載の方法。
【請求項３】
前記変更されたプライバシー設定により影響を受ける各情報経路を修正するステップは、データがある情報経路を用いて伝達されていないことを示す前記変更されたプライバシー設定に応じて、該情報経路を取り除くステップを含むことを特徴とする請求項１に記載の方法。
【請求項４】
前記変更されたプライバシー設定により影響を受ける各情報経路を修正するステップは、データが情報経路を用いて伝達されたことを示す前記変更されたプライバシー設定に応じて、新しい情報経路を確立するステップを含むことを特徴とする請求項１に記載の方法。
【請求項５】
情報経路は、前記メンバーにより受信されたニュースフィード記事、前記メンバーの友人により受信されたニュースフィード記事、前記メンバーに関連付けられた写真を見ること、前記メンバーに関連付けられたビデオを視聴すること、前記メンバーが受信したデータに関するイベント、前記メンバーが加入しているグループ、あるいは、前記メンバーに関連付けられたデータを含む検索エンジンの結果を含むことを特徴とする請求項１に記載の方法。
【請求項６】
前記１つ以上の特性へのアクセスを許可したり、拒否したりする前記１つ以上のプライバシー設定は、メンバーの一部が該１つ以上の特性にアクセスすることを可能にすることを特徴とする請求項１に記載の方法。
【請求項７】
前記ソーシャルネットワークのメンバーによりとられる前記行動は、前記ソーシャルネットワークの別のメンバーにメッセージを送信すること、前記ソーシャルネットワークの別のメンバーとの接続を追加すること、および、１つ以上のプライバシー設定を修正することからなるグループから選択される行動を含むことを特徴とする請求項１に記載の方法。
【請求項８】
前記変更されたプライバシー設定により影響を受ける各情報経路を修正するステップは、
前記ソーシャルネットワークの検索の結果を分析するステップと、
前記変更されたプライバシー設定に応じて、検索エンジンの結果からデータを取り除くことにより、修正された検索結果を生成するステップと
を含むことを特徴とする請求項１に記載の方法。
【請求項９】
前記メンバーに関連付けられたプライバシー設定を変更する前記行動は、前記メンバーに関連付けられた特性に第２ユーザがアクセスするのを制限すること、前記メンバーに関連付けられた特性に別のユーザがアクセスするのを許可すること、あるいは、前記ユーザが追加のユーザにデータを伝達する頻度を修正することを含むことを特徴とする請求項１に記載の方法。
【請求項１０】
ソーシャルネットワークのメンバーのプライバシー設定に基づいて、該メンバーに関連付けられたデータへのアクセスを規制するためのシステムであって、
ソーシャルネットワークの複数のメンバーのためのプロフィールを保持するためのメンバープロフィール格納部であって、各プロフィールが一人のメンバーに関連付けられた１つ以上の特性を識別するとともに、１つ以上のプライバシー設定が前記１つ以上の特性へのアクセスを許可もしくは拒否する前記メンバープロフィール格納部と、
各情報経路が一人のメンバーについてのデータを一人以上の他のメンバーに伝達する、複数の情報経路と、
前記メンバープロフィール格納部に通信的に接続されるプライバシーエンジンであって、
前記ソーシャルネットワークのメンバーによりとられる行動を監視し、
特定のメンバーに関連付けられたプライバシー設定を変更する行動に応じて、該変更されたプライバシー設定により影響を受ける１つ以上の前記情報経路を決定し、
前記変更されたプライバシー設定に応じて、前記一人以上の追加のメンバーに伝達された前記データを調整するために、該変更されたプライバシー設定により影響を受ける各情報経路を修正し、
前記変更されたプライバシー設定により影響を受ける前記情報経路が修正された後に、その後のメンバー行動を受信し、
前記変更されたプライバシー設定に基づく前記修正された情報経路を介して、前記ソーシャルネットワークの前記一人以上の他のメンバーに対して前記その後のメンバー行動を選択的に伝達する
ための前記プライバシーエンジンと
を備えることを特徴とするシステム。
【請求項１１】
前記ソーシャルネットワークはソーシャルネットワーキングウェブサイトを備えることを特徴とする請求項１０に記載のシステム。
【請求項１２】
前記プライバシーエンジンによって前記変更されたプライバシー設定により影響を受ける各情報経路を修正することは、データがある情報経路を用いて伝達されていないことを示す前記変更されたプライバシー設定に応じて、該情報経路を取り除くことからなることを特徴とする請求項１０に記載のシステム。
【請求項１３】
前記プライバシーエンジンによって前記変更されたプライバシー設定により影響を受ける各情報経路を修正することは、データが情報経路を用いて伝達されたことを示す前記変更されたプライバシー設定に応じて、新しい情報経路を確立することからなることを特徴とする請求項１０に記載のシステム。
【請求項１４】
情報経路は、前記メンバーにより受信されたニュースフィード記事、前記メンバーの友人により受信されたニュースフィード記事、前記メンバーに関連付けられた写真を見ること、前記メンバーに関連付けられたビデオを視聴すること、前記メンバーが受信したデータに関するイベント、前記メンバーが加入しているグループ、あるいは、前記メンバーに関連付けられたデータを含む検索エンジンの結果を含むことを特徴とする請求項１０に記載のシステム。
【請求項１５】
前記１つ以上の特性へのアクセスを許可したり、拒否したりする前記１つ以上のプライバシー設定は、メンバーの一部が該１つ以上の特性にアクセスすることを可能にすることを特徴とする請求項１０に記載のシステム。
【請求項１６】
前記ソーシャルネットワークのメンバーによりとられる前記行動は、前記ソーシャルネットワークの別のメンバーにメッセージを送信すること、前記ソーシャルネットワークの別のメンバーとの接続を追加すること、および、１つ以上のプライバシー設定を修正することからなるグループから選択される行動を含むことを特徴とする請求項１０に記載のシステム。
【請求項１７】
前記プライバシーエンジンによって前記変更されたプライバシー設定により影響を受ける各情報経路を修正することは、前記ソーシャルネットワークの検索の結果を分析することと、前記変更されたプライバシー設定に応じて、検索エンジンの結果からデータを取り除くことにより、修正された検索結果を生成することからなることを特徴とする請求項１０に記載のシステム。
【請求項１８】
前記メンバーに関連付けられたプライバシー設定を変更する前記行動は、前記メンバーに関連付けられた特性に第２ユーザがアクセスするのを制限すること、前記メンバーに関連付けられた特性に別のユーザがアクセスするのを許可すること、あるいは、前記ユーザが追加のユーザにデータを伝達する頻度を修正することを特徴とする請求項１０に記載のシステム。
【手続補正２】
【補正対象書類名】明細書
【補正対象項目名】００４８
【補正方法】変更
【補正の内容】
【００４８】
そして、プライバシーエンジン３９０は、プライバシー設定変更により影響を受ける情報経路を用いて伝達される情報へのアクセスを修正する（ステップ４３０）。一実施形態では、プライバシーエンジン３９０は、メンバーデータへのアクセスを防止するために、情報経路を取り除く。例えば、プライバシーエンジン３９０は、ユーザＡが「誰にでも（everyone）」利用可能に指定したユーザＡについてのデータにユーザＢがアクセスすることを禁止するために、１つ以上の情報経路を取り除く。別の例として、プライバシーエンジン３９０は、ユーザＢがユーザＡについてのデータにアクセスするのを許可するプライバシー設定変更に応じて、ユーザＡとユーザＢの間の１つ以上の情報経路を生成する。
【手続補正３】
【補正対象書類名】図面
【補正対象項目名】図２
【補正方法】変更
【補正の内容】
【図２】
2010539565.tif 000001